(57)【要約】【課題】  足元を、主体部による襟巻（マフラー）のような装身部とリボンテープによる飾り結の装身部との相乗効果によりゴージャス且つファッショナブルに飾ることができ、しかもファッション性と足首の防寒を併せ有する実用的効果を得ることができる新規の足首用装身具を提供することを目的とする。【解決手段】  足首を囲む覆い部及び該覆い部の両端に延設された左右の前面飾り形成部により構成された主体と、前記覆い部と左右の前面飾り形成部との連続個所の上端部に基端が止着された左右のリボンテープと、前記覆い部の両端寄り個所間に張設された仮止用伸縮紐とから成ることを特徴とする。【選択図】  図５
0003114613.tif 000002
【実用新案登録請求の範囲】
【請求項１】
足首を囲む覆い部及び該覆い部の両端に延設された左右の前面飾り形成部により構成された主体と、前記覆い部と左右の前面飾り形成部との連続個所に基端が止着された左右のリボンテープを備えたことを特徴とする足首用装身具。
【請求項２】
前記覆い部の両端寄り個所間に仮止用伸縮紐が張設されていることを特徴とする請求項１記載の足首用装身具。
【請求項３】
足首を囲む覆い部及び該覆い部の両端に延設された左右の前面飾り形成部により構成された主体と、前記覆い部と左右の前面飾り形成部との連続個所の上端部に基端が止着された左右のリボンテープと、前記覆い部の両端寄り個所間に張設された仮止用伸縮紐とから成ることを特徴とする足首用装身具。
【考案の詳細な説明】
【技術分野】
【０００１】
本考案は、ベルト、ブローチ、ネックレス、イヤリングなどの服装を引き立たせるための装身具のような感覚で足元をゴージャス且つファッショナブルに演出する機能及び足首の寒さを防ぐ機能を併せ有する足首用装身具に関するものである。
【背景技術】
【０００２】
従来、足首を引き立たせるための小道具として、例えば飾りチェーンや飾りリング、飾りベルト、飾り紐（テープ）、貼付シールなどが知られている。しかしながら、これらは、単純な構成、単純な形状のものが多く、いまひとつ物足りないという人が多く、しかも防寒機能を備えていないものであった。
【０００３】
そこで、本考案者は、試行錯誤の結果、本考案に係る足首用装身具を案出し、提供するに至ったものである。
【０００４】
なお、本願出願人は、前記意匠的効果と防寒機能を併せ有する足首用装身具について先行技術を調査したが、関連する先行技術文献を発見することができなかった。
【考案の開示】
【考案が解決しようとする課題】
【０００５】
本考案の目的とするところは、足元をゴージャス且つファッショナブルに演出する機能及び足首の寒さを防ぐ機能を併せ備えていて使い易い新規の足首用装身具を提供することにある。
【課題を解決するための手段】
【０００６】
前記目的を達成するために、請求項１に係る足首用装身具は、足首を囲む覆い部及び該覆い部の両端に延設された左右の前面飾り形成部により構成された主体と、前記覆い部と左右の前面飾り形成部との連続個所に基端が止着された左右のリボンテープを備えたことを特徴とする。
【０００７】
したがって、後述するような要領で使用した場合、前記主体及びリボンテープにより足元を飾ることができ、前記物足りなさを充分に解消できるのみならず、ファッション性と足首の防寒を兼ねる実用的効果を発揮できる。
【０００８】
請求項２に係る足首用装身具は、請求項１記載の足首用装身具に関し、前記覆い部の両端寄り個所間に仮止用伸縮紐が張設されていることを特徴とする。
【０００９】
したがって、本考案に係る足首用装身具あって前記仮止用伸縮紐は、足首への装着、具体的には足首への主体及びリボンテープの巻きつけ作業を行う場合には、予め前記仮止用伸縮紐により覆い部を足首に仮止めした状態にしてから該巻きつけ作業をすることが可能になり、該巻きつけ作業は、失敗なく容易に且つスピーディに行うことができる。
【００１０】
請求項３に係る足首用装身具は、足首を囲む覆い部及び該覆い部の両端に延設された左右の前面飾り形成部により構成された主体と、前記覆い部と左右の前面飾り形成部との連続個所の上端部に基端が止着された左右のリボンテープと、前記覆い部の両端寄り個所間に張設された仮止用伸縮紐から成ることを特徴とする。
【００１１】
したがって、請求項３に係る足首用装身具は、前記請求項１および請求項２による前記諸効果を得ることができるのに加え、左右のリボンテープの基端が覆い部と左右の前面飾り形成部との連続個所の上端部に止着されているので、慣れていないな人でも、足首に装着したときの仕上がり状態を簡単且つ容易に綺麗にできるものであり、誰でもプロの技術がなくとも足元をゴージャス且つファッショナブルにする演出を楽しむことができる。
【考案の効果】
【００１２】
本考案に係る足首用装身具は、上記のように構成され、これによれば、前記主体による襟巻（マフラー）のような装身部とリボンテープによる飾り結の装身部との相乗効果によって足元をゴージャス且つファッショナブルに飾ることができ、従前の前記物足りなさを充分に解消できるのみならず、ファッション性と足首の防寒を兼ねて果す実用的効果を得ることができる。また、足首への装着、具体的には足首への主体及びリボンテープの巻きつけ作業を失敗なく容易且つスピーディに行うことができる。さらには、左右のリボンテープの基端が覆い部と左右の前面飾り形成部との連続個所の上端部に止着されているので、慣れていないな人でも、足首に装着したときの仕上がり状態を簡単且つ容易に綺麗にでき、足元をゴージャス且つファッショナブルにする演出を簡単に楽しむことができる。さらに、外したいときには、リボンテープを解いて足から抜き去ることで簡単に外すことができ、使い勝手が良いものである。
【考案を実施するための最良の形態】
【００１３】
以下、本考案に係る足首用装身具の実施の形態を図面に基づいて説明する。なお、図１は全体を示す斜視図である。
【００１４】
この図１に示す実施の形態に係る足首用装身具１は、人工毛皮をもって、足首２外周を囲む覆い部３及び該覆い部３の両端に一体に延設された左右の前面飾り形成部４，５により形成された主体６を構成し、この主体６における覆い部３と左右の前面飾り形成部４，５との連続個所７の上端部に左右の布製リボンテープ８，９の基端部１０，１１を縫い止めると共に、前記覆い部３の両端寄り個所間に帯ゴムのような仮止用伸縮紐１２を張設して完成させたものである。
【００１５】
このようにして完成された実施の形態に係る足首用装身具１は、前記のような構成にされているので、たとえば次のような要領で使用すればよい。
【００１６】
先ず、図２に示すように、覆い部３と仮止用伸縮紐１２により形成された輪の中に足を挿入する。この場合、リボンテープ８，９の基端部１０，１１の方が上側になるようにする。次いで、図３に示すように、左右の前面飾り形成部４，５を甲部の足首に近い個所の前面で十字形状に交差させると共に左側のリボンテープ８を右の方へ、右側のリボンテープ９を左の方へそれぞれ向けて交差した状態にする。引き続き、図４に示すように、該左右のリボンテープ８，９を足首の後へ廻して一度交差させてから足首の前に廻すと共に図５に示すように、両リボンテープ８，９の余端部を同足首の前面で結んで蝶結等飾り結１３を作る。最後に該飾り結１３及び前記交差状態の前面飾り形成部４，５のなじみ（納まり）を整えることにより、甲部の足首に近い個所の前面を最も美化する演出を行い、完了する等の要領で着用すればよく、また、外す場合には、リボンテープを解き足首への巻きつけを解消した後、足首から全体を抜き取ればよい。
【００１７】
前記図に示す実施の形態にあっては、リボンテープを採用してあるが、本考案は該リボンテープに代わる丸紐、平紐等飾り紐で実施することは自由である。また、本考案は、主体特に前面飾り形成部の外面にイニシャルや飾り刺繍を入れたり、宝石、貴金属部品、飾り金具等を止着してグレードアップすることができるのみならず、主体には天然毛皮、高級布地、高級編地、天然皮革、人工皮革等を部分若しくは全体に用いて実施することもでき、これらのようにした場合でも、本考案は及ぶものものとする。
【図面の簡単な説明】
【００１８】
【図１】全体を示す斜視図である。
【図２】足を挿入する過程を示す説明図である。
【図３】前面飾り形成部及びリボンテープの交差の過程を示す説明図である。
【図４】リボンテープを廻し終えた過程を示す説明図である。
【図５】飾り結を作り終えた過程を示す説明図である。
【符号の説明】
【００１９】
１  実施の形態に係る足首用装身具
２  足首
３  覆い部
４、５  前面飾り形成部
６  主体
７  連続個所
８、９  リボンテープ
１０、１１  基端部
１２  仮止用伸縮紐
１３  蝶結等飾り結
【図１】
0003114613.tif 000003
【図２】
0003114613.tif 000004
【図３】
0003114613.tif 000005
【図４】
0003114613.tif 000006
【図５】
0003114613.tif 000007